(57)【要約】【課題】            市販の小動物収容体に簡単に着脱できるカバーであって、小動物収容体に有する既存の部品を利用して確実に止着することができ、持ち運びの途中で該カバーが位置ズレ等を起こさないようにする。【解決手段】        帯状カバー本体１の長さ方向両端部には、補強片４、４ａが固着され、これら補強片４、４ａに、小動物収容体本体５０の上面部５０ａに有する把持部５４に挿入する把持部挿入孔５、５ａが形成されている。一方の補強片４ａには、収納体本体上面部５０ａに有するベルト挿入部材５５、５５ａに挿入する止着ベルト６、６ａが固着されている。補強片４と止着ベルト６、６の適所には面ファスナー１０,１０ａが設けられている。帯状カバー１は、小動物収容体本体５０の小動物出入口扉５２を除いた底面部５０ｃ、両側面部５０ｂ、上面部５０ａに巻着される。【選択図】          図５
2005333816.tif 000002
【特許請求の範囲】
【請求項１】
小動物を持ち運ぶための収容体に被覆されるカバーであって、
前記収容体本体の、少なくとも上面部と左右両側面部と底面部を覆うように巻着される帯状カバーと、
前記収容体本体の既存部材を利用して前記帯状カバーを巻着状態で止着するための止着手段、
を備えた小動物収容体用カバー。
【請求項２】
前記止着手段は、前記帯状カバーの長さ方向両端部にそれぞれ設けられた、前記収容体本体の把持部への挿入孔であることを特徴とする請求項１に記載の小動物収容体用カバー。
【請求項３】
前記帯状カバーの長さ方向両端部に補強片を固着し、該補強片に前記収容体本体の把持部への挿入孔を形成したことを特徴とする請求項２に記載の小動物収容体用カバー。
【請求項４】
前記補強片の長さ方向端部に、前記収容体本体上面部の端部に有する止着部材に止着するための離脱式止着ベルトを設けたことを特徴とする請求項３に記載の小動物収容体用カバー。
【請求項５】
前記帯状カバーは、前記収容体本体の底面部を覆う幅狭面部と、前記収容体本体の左右両側面部及び上面部を覆う幅広面部とを一体に連設して構成し、前記幅狭面部を、前記収容体本体底面部に有する脚部が外側に位置するように構成することを特徴とする請求項１から請求項４の何れかに記載の小動物収容体用カバー。
【請求項６】
前記帯状カバーは、前記収容体本体の底面部と左右両側面部と上面部を覆う長さであり、前記底面部に対応する面に、前記収容体本体の脚部を挿入するための脚部挿入孔を設けたことを特徴とする請求項１から請求項４のいずれかに記載の小動物収容体用カバー。
【請求項７】
前記帯状カバーに、小物収納部を設けたことを特徴とする請求項１から請求項６の何れかに記載の小動物収容体用カバー。
【発明の詳細な説明】
【技術分野】
【０００１】
本発明は、犬、猫などのペット用小動物を持ち運ぶための小動物収容体に被着されるカバーに関するものである。
【背景技術】
【０００２】
従来から、犬、猫などのペット用小動物を持ち運ぶための小動物収容体が種々市販されている。この小動物収容体に小動物を収容して持ち運ぶ際には、小動物の餌、飲料水、遊び道具などの小物類を携帯することも多い。これら小物類を小動物収容体とは別のバッグなど収納すると、荷物の個数が多くなり不便である。また、小動物収容体自体に小物入れ収納部を設けると、収容体全体が大型化するため、やはり持ち運びが不便となる。なお、従来の小動物収容体は、一般にプラスッチクで製作されており、全体的なデザインが単調となりがちであり、持ち物としての装飾性に欠けるという問題もある。
【０００３】
一方、小動物収容体内の小動物排泄物が発する悪臭を抑えるため、四角状の携帯用動物小屋（小動物収容体）の天板部と前後左右の側面部をカバーで被覆し、動物出入扉と把手部の位置にファスナーや係止部で開閉する開閉板を設けた携帯用動物小屋用カバーが提案されている（特許文献１）。しかしながら、このようなカバーを装着するときは、動物小屋の上部から被せなければならず、その際、動物小屋の動物出入口扉や把手部と、該カバーに設けられた各開閉板の位置合わせをしなければならないため、装着が面倒であるという問題がある。また、携帯移動時にカバーが風などに煽られたりして、動物小屋から離脱したり、位置ズレを生じる心配がある等の問題がある。さらに、各開閉板を閉じて動物小屋全体を覆った状態にすると、飼い主が、内部の小動物の状態を観察することができないという問題や、空気の流通性が不足するため、居住性が悪くなり、閉塞された環境下で小動物に不安感を与える等の問題がある。
【０００４】
【特許文献１】特開平８-３０８４１７号公報
【発明の開示】
【発明が解決しようとする課題】
【０００５】
本発明は、上述したような現状を背景にして提案されたものであり、市販の小動物収容体に簡単に着脱することができるカバーであって、小動物収容体に有する既存の部品を利用して確実に止着でき、持ち運びの途中で該カバーが位置ズレ等を起こさないようにした小動物収容体用カバーを提供することである。
【０００６】
また本発明は、小動物収容体内部の小動物の状態を飼い主が常に観察できるようにし、また外気との流通性を良くすることにより、居住性を高め、閉塞感を緩和した小動物収容体用カバーを提供することである。
【０００７】
さらに本発明は、小動物収容体の装飾性を高めるとともに、カバーに小物類を収納できるようにし、ペット携行品等を同時に持ち運ぶことができるようにした小動物収容体用カバーを提供することである。
【課題を解決するための手段】
【０００８】
上記課題を解決するため、本発明の小動物収容体用カバーは、前記収容体本体の少なくとも上面部と左右両側面部と底面部を覆うように巻着される帯状カバーと、前記収容体本体の既存部材を利用して前記帯状カバーを巻着状態で止着するための止着手段、を備えたていることを特徴とする。
【０００９】
前記帯状カバーは、前記収容体本体の小動物出入口扉側とその反対面側を除く、収容体本体の上面部、左右両側面部及び底面部を巻着するものであり、その帯状カバーの長さ、幅、形状などは巻着する収容体本体に応じて選択される。小動物出入口扉側と反対面側には、必要であれば別途カバーを被着してもよく、あるいは開閉式カバーなどを設けるようにしてもよい。
【００１０】
本発明のひとつの実施形態によれば、前記帯状カバーは、前記収容体本体の底面部を覆う幅狭面部と、前記収容体本体の左右両側面部及び上面部を覆う幅広面部とを一体に連設して構成し、前記幅狭面部を、前記収容体本体底面部に有する脚部が外側に位置する幅長に構成することを特徴とする。このようにすれば、小動物収容体本体の底面部における帯状カバーの幅方向の動きが、幅狭面部の外側に位置する収容体本体脚部に規制され、持ち運ぶ際の、帯状カバーの幅方向（帯状カバー巻着方向に対する幅方向）の位置ズレ、収容体本体からの離脱を防止することができる。
【００１１】
また本発明の別の実施形態によれば、前記帯状カバーは、前記収容体本体の底面部と左右両側面部と上面部を覆う長さであり、前記底面部に対応する面に、前記収容体本体の脚部を挿入するための脚部挿入孔を設けたことを特徴とする。この脚部挿入孔は、収容体本体脚部の形状、大きさ、個数などに応じて形成されるが、脚部が収容体本体底部の四隅に設けられている場合、個々の脚部の挿入孔を形成してもよいし、対向する２個の脚部を挿入する細長い挿入孔としてもよい。このような脚部挿入孔に収容体本体脚部を挿入することにより、前述のように帯状カバーの動きが規制され、持ち運ぶ際の帯状カバーの位置ズレや収容体本体からの離脱を防止することができる。
【００１２】
前記帯状カバーを止着するための収容体本体の既存部材とは、巻着した帯状カバーを止着するために、収容体本体に既に付設されている部材であれば特に限定されるものではなく、たとえば、把持部（把手部）、肩掛けベルトの挿入部材、小物類保持用のフック部材などである。
【００１３】
また、前記止着手段とは、前記収容体本体の既存部材に係止、係合、貼着などの手法により止着できるものであればよい。本発明のひとつの実施形態によれば、前記止着手段は、前記帯状カバーの長さ方向両端部にそれぞれ設けられた、前記収容体本体の把持部への挿入孔であることを特徴とする。前記把持部挿入孔は、前記帯状カバーの長さ方向両端部に固着した補強片に形成することが好ましい。
【００１４】
本発明は、さらに前記補強片の長さ方向端部に、前記収容体本体の上面部の端部に有する止着部材に止着するための離脱式止着ベルトを設けたことを特徴とする。前記収容体本体の上面部に有する止着部材とは、前記離脱式止着ベルトを止着できる部材であれば任意であり、たとえば肩掛けベルトの挿入部材、各種連結リング部材、小物類を引っ掛けるためのフック部材などである。
【００１５】
また、離脱式止着ベルトとは、たとえば面ファスナー、ホック、ボタンなど、簡易に離脱できる止着具を備えたベルトである。ここで、面ファスナーとは、たとえば微小なカギ状フック群を織製した面と、微小なループ群を織製した面とを貼り合わせて接合する止着具である。このような離脱式止着ベルトを、前記収容体本体の上面部の端部に有する止着部材に止着することにより、収容体本体に巻着された帯状カバーの幅方向の移動が抑えられ、小動物収容体を持ち運ぶ際の帯状カバーの位置ズレや、収容体本体からの離脱を防止することができる。
【００１６】
本発明は、さらに前記帯状カバーに小物収納部を設けたことを特徴とする。小物収納部は、ポケット式、バッグ式などその形式や大きさは任意であり、帯状カバーに一体に、または着脱式に設けられる。このような小物収納部には、小動物の餌、飲料水、遊び道具などの小物類を収納することができる。
【００１７】
本発明のカバーを巻着するための小動物収容体は、小動物を内部に収容して携行するキャリーケース、キャリーゲージなどであり、特に限定されるものではないが、小動物収容体の正面部に小動物出入口扉を有し、上面部に把持部を有し、上面部の両端部に肩掛けベルト挿入部材などの止着部材を有し、底面部の四隅部に小突起状の脚部を有しているものが望ましい。その一例として、本出願人が先に実用新案登録第３０３９６０４号として提案したペット用キャリー小動物収容体が好適である。
【発明の効果】
【００１８】
本発明の請求項１の発明によれば、カバーを小動物収納体の周面方向、即ち、上面部と左右両側面部と底面部に巻着するだけで、小動物収容体に簡単に着脱することができ、また、収納体本体の既存部材を利用して帯状カバーを簡易に止着することができ、持ち運びの途中での該カバーの位置ズレや収容体本体からの離脱を防ぐことができる。しかも、前記収納体本体に別途、止着部材などを設ける必要がないため、市販の小動物収納体に安価に適用することができる。
【００１９】
また、小動物収容体の小動物出入口扉側には帯状カバーが被覆されないため、該出入口扉を通して収容体内部の小動物の状態を飼い主が常に観察でき、また該出入口扉を通気性構造とすることで、外気との通気性が良くなり、小動物の居住性が向上し、閉塞感も緩和することができる。さらに、帯状カバーに様々なデザインを施すことにより、小動物収容体の持ち物としての装飾性を高めることができる。
【００２０】
また、請求項２の発明によれば、小動物収納体に通常設けられている把持部を利用して、帯状カバーの把持部挿入孔を前記把持部に挿入するだけで、収納体本体に巻着された帯状カバーを簡易に止着することができ、帯状カバーの長さ方向の動きを規制することができる。
【００２１】
また、請求項３の発明によれば、前記把持部挿入孔を補強片に形成することによって、把持部挿入孔に繰り返し引っ張り力などの負荷が加わっても、把持部挿入孔の破損などを防止することができる。
【００２２】
また、請求項４の発明によれば、離脱式止着ベルトを、前記収容体本体の上面部の端部に有する止着部材に止着することにより、収容体本体に巻着された帯状カバーの幅方向の移動が抑えられ、持ち運びの際の帯状カバーの位置ズレや収容体本体からの離脱を防止することができる。
【００２３】
また、請求項５の発明によれば、小動物収容体本体の底面部における帯状カバーの幅方向の動きが幅狭面部の外側に位置する収容体本体脚部に規制され、持ち運びの際の、帯状カバーの幅方向の位置ズレや収容体本体からの離脱を防止することができる。
【００２４】
また、請求項６の発明によれば、脚部挿入孔に収容体本体脚部を挿入することにより、動物収容体本体の底面部における帯状カバー帯状カバーの動きが規制され、帯状カバーの位置ズレや収容体本体からの離脱を防止することができる。
【００２５】
また、請求項７の発明によれば、カバーの小物収納部に、小動物の餌、飲料水、遊び道具などのペット携行品を収納し、一緒に持ち運ぶことができるので便利である。
【発明を実施するための最良の形態】
【００２６】
次に本発明の実施形態の一例を添付図面に従って説明する。図１は、本発明の小動物収容体用カバーの使用状態を示したものであり、１は帯状カバー、５０はその帯状カバー１を装着した小動物収容体本体５０である。
【００２７】
前記帯状カバー１は、図２及び図３に示すように、幅狭面部２を中央にして左右両側部に幅広面部３、３ａが一体に連設されており、全体が帯状に構成されている。この帯状カバー１の長さは、後述する図５に示すように、前記収容体本体５０の底面部５０ｃ、上面部５０ａ及び両側面部５０ｂ（他方の側面部は図示せず）を被覆できる長さであり、幅狭面部２の幅長Ｗａは、図５示すような収容体本体底面部５０ｃの四隅に突設された脚部５１、５１が幅狭面部２の外側に位置し、該幅狭面部２の外縁部に隣接するような幅である。また、幅広面部３、３ａの幅長Ｗｂは、収納体本体５０の上面部５０ａ及び両側面部５０ｂよりわずかに狭い幅である。
【００２８】
前記帯状カバー１の長さ方向両端部には、補強片４、４ａが設けられており、そのほぼ中央部に把持部挿入孔５、５ａが形成されている。また、一方の補強片４ａの幅方向（図２、図３に向かって上下方向）両端部には、止着ベルト６、６ａが固着されている。各止着ベルト６、６ａの表面側（図２に示すように帯状カバー１の表面側）には、面ファスナー８、８ａ及び８ｂ、８ｃが固着されている。また、他方の補強片４における幅方向両端部の表裏両面側にも、図２及び図３に示すように、面ファスナー９、９ａ及び１０、１０ａが固着されている。
【００２９】
前記帯状カバー１の幅広面部３、３ａの表面側には、図２に示すように、小物収納部１１、１１ａ、１１ｂが設けられるとともに、帯状カバー１の長さ方向に延びる肩掛けベルト１３、１３ａが固着されている。この一方の肩掛けベルト１３ａの端部には束ね部材１４が設けられており、その表面側と、折り曲げたときに対向する裏面側には、図２及び図３に示すように、面ファスナー１５、１５ａが固着されている。
【００３０】
前記帯状カバー１は、図4に示すように、ウレタンなどのクッション材１６の表裏両面をポリエステルなどの合成樹脂シート１７、１７ａで被覆し、周縁部をアクリルテープなどの合成樹脂テープ１８で止着して構成されており、表面側の樹脂シート１７には、様々なデザインがプリント、織製などにより施されている。また、図３に示すように、裏面側の樹脂シート１７ａにより、前記補強片４、４ａの裏面側が覆われている。
【００３１】
次に、上述した帯状カバー１の使用例を図５から図８に基づいて説明する。まず、ここで使用される小動物収容体本体５０は、図５に示すように、全体が筒状に構成され、上面部５０ａ、左右両側面部５０ｂ（他方の側面部は図示せず）、底面部５０ｃを有している。この収容体本体５０の正面側には、小動物出入口扉５２が開閉可能に設けられ、背面部（小動物出入口扉５２の反対面側）は、図示しないが、閉塞面となっている。小動物出入口扉５２は、通気性を確保するため格子状に形成されており、ノブ５３により扉の開閉がロックされる。また、底面部５０ｃの四隅には小円筒状の脚部５１，５１（反対側の脚部は図示せず）が突設されている。
【００３２】
前記収容体本体上面部５０ｂのほぼ中央部には、把持部５４が転倒可能に設けられており、幅方向両端部（正面側上端部と背面側上端部）には、前記止着ベルト６、６の止着部材となるベルト挿入部材５５、５５ａが設けられている。このベルト挿入部材５５、５５ａは、帯状カバー１を使用しないときは、付属品である肩掛けベルトの挿入部材となる。なお、両側面部５０ｂにも、複数の格子状の通気孔５６が形成されている。
【００３３】
前記帯状カバー１を小動物収容体本体５０に装着するときは、図５に示すように、まず帯状カバー１を裏返し状態にし、前記収容体本体５０を帯状カバー１の幅狭面部２に置く。このとき、底面部５０ｃの脚部５１，５１を幅狭面部２の外側に位置させ、小動物出入口扉５２が帯状カバー幅方向の外側を向くようにする。
【００３４】
その後、図６に示すように、一方の幅広面部３ａを収容体本体側面部５０ｂに巻き付け、補強片４ａの把持部挿入孔５ａを動物収容体本体５０の把持部５４に挿入するとともに、各止着ベルト６、６ａをベルト挿入部材５５、５５ａに挿入する。次に、図６及び図７に示すように、他方の幅広面部３を対応する収納体本体側面部５０ｂに巻き付け、補強片４の把持部挿入孔５を前記把持部５４に挿入する。このとき補強片４を前記補強片４ａに重ね合わせ、補強片４の裏面部に有する面ファスナー１０、１０ａを、補強片４ａに有する面ファスナー８、８ｃに接合して止着する。
【００３５】
次に、図７及び図８に示すように、ベルト挿入部材５５、５５ａに挿入された補強片４ａの止着ベルト６、６ａを、ベルト挿入部材５５、５５ａを介して折り返し、面ファスナー８、８ｂを、補強片４の表面側に装着した面ファスナー９、９ａに接合して止着する。このように、止着ベルト６、６ａの面ファスナー８、８ａ及び８ｂ、８ｃと、補強片４の面ファスナー９、９ａ及び１０、１０ａを交互に重ね合わせることにより、強固に止着することができる。なお、図１に示すように、肩掛け用ベルト１３ａの束ね部材１４を、他方の肩掛けベルト１３の端部に巻きつけ、面ファスナー１５、１５ａで止着することにより、小動物収容体本体５０を肩に掛けて持ち運ぶことができる。
【００３６】
図９及び図１０は、本発明の別の実施形態を示したものである。この帯状カバー１は、前記収容体本体底面部５０ｃを覆う中央面部２ａ（前記幅狭面部２に相当する部分）が幅広面部３、３ａと同幅となっており、その中央面部２ａの四隅に前記収容体本体５０の各脚部５１を挿入する複数の脚部挿入孔５６が形成されている。前記収容体本体５０に帯状カバー１を巻着するときは、脚部挿入孔５６に収容体本体脚部５１を挿入すればよい。その他の帯状カバー１の構成及び使用方法は上述の実施形態と同じである。このように、帯状カバー１の全長を同幅にすることにより、前記したような幅狭面部を成形する必要がないため、安価に製造できる。
【００３７】
上述した本発明の実施形態は、本発明の一例を示したものであり、適用する小動物収容体の構造などは図示したものに限定されるものではなく、現在又は将来市販される小動物収容体に適用することができ、それに応じて、本発明の趣旨を逸脱しない範囲で帯状カバーの構成を変更することができる。
【図面の簡単な説明】
【００３８】
【図１】本発明の使用状態を示した斜視図である。
【図２】本発明の帯状カバーの表面側の概略平面図である。
【図３】本発明の帯状カバーの裏面側の概略平面図である。
【図４】第３図におけるＡーＡ断面概略図である。
【図５】本発明の帯状カバーの巻着手順を示す第１段階の斜視図。
【図６】本発明の帯状カバーの巻着手順を示す第２段階の斜視図。
【図７】本発明の帯状カバーの巻着手順を示す第３段階の斜視図。
【図８】本発明の帯状カバーの巻着手順を示す第４段階の斜視図。
【図９】本発明の別の実施形態を示す帯状カバーの表面側の概略平面図である。
【図１０】本発明の別の実施形態を示す帯状カバーの表面側の概略平面図である。
【符号の説明】
【００３９】
１は帯状カバー
２は幅狭面部
３、３ａは幅広面部
４、４ａは補強片
５、５ａは把持部挿入孔
６、６ａは止着ベルト
８、８ａ、９、９ａ、１０、１０ａは面ファスナー
１１、１１ａ、１１ｂは小物収納部
１２はペット用携行小物
１３、１３ａ肩掛け用ベルト
１４は束ね部材
１５、１５ａは面ファスナー
１６はクッション材
１７は樹脂シート
１８は樹脂テープ
５０は小動物収容体本体
５０ａは上面部
５０ｂは側面部
５０ｃは底面部
５１は脚部
５２は小動物出入口扉
５３はノブ
５４は把持部
５５、５５ａはベルト挿入部材
５６は脚部挿入孔
【図１】
2005333816.tif 000003
【図２】
2005333816.tif 000004
【図３】
2005333816.tif 000005
【図４】
2005333816.tif 000006
【図５】
2005333816.tif 000007
【図６】
2005333816.tif 000008
【図７】
2005333816.tif 000009
【図８】
2005333816.tif 000010
【図９】
2005333816.tif 000011
【図１０】
2005333816.tif 000012